(57)【要約】【課題】本発明は、薬剤容器、及び薬剤入り薬剤容器に関するもので、溶解液に薬剤を溶解させる作業性を高めることを目的とする。【解決手段】そして、この目的を達成するために本発明は、溶解液２を収納した薬剤調整室３と、この薬剤調整室３に薬剤供給路４を介して連結されると共に、薬剤５を収納した薬剤収納室６と、前記薬剤調整室３に連結された薬剤投与口７とを備え、前記薬剤調整室３に連結されると共に、その内部に攪拌子８が収納された薬剤攪拌部９を設けた薬剤容器とした。【選択図】図１
2015002752.tif 000002
【特許請求の範囲】
【請求項１】
溶解液を収納した薬剤調整室と、この薬剤調整室に薬剤供給路を介して連結されると共に、薬剤を収納した薬剤収納室と、前記薬剤調整室に連結された薬剤投与口とを備え、
前記薬剤調整室に連結されると共に、その内部に攪拌子が収納できる薬剤攪拌部を設けた薬剤容器。
【請求項２】
薬剤攪拌部は、薬剤調整室側が開口した容器により構成した請求項１に記載の薬剤容器。
【請求項３】
薬剤攪拌部は、円筒状容器により構成した請求項２に記載の薬剤容器。
【請求項４】
薬剤攪拌部は、透明容器により構成した請求項２、または３に記載の薬剤容器。
【請求項５】
薬剤攪拌部は、薬剤調整室の薬剤投与口とは反対側に設けた請求項１~４のいずれか一つに記載の薬剤容器。
【請求項６】
薬剤調整室の外周部分に、外周平面部を設け、この外周平面部の薬剤投与口側と、薬剤攪拌部側に保持部を設けた請求項５に記載の薬剤容器。
【請求項７】
保持部は、外周平面部に設けた貫通孔より構成した請求項６に記載の薬剤容器。
【請求項８】
外周平面部に、薬剤収納室を設けた請求項６または７に記載の薬剤容器。
【請求項９】
薬剤収納室に収納された薬剤は、がん治療薬とした請求項１〜８のいずれか一つに記載の薬剤容器。
【発明の詳細な説明】
【技術分野】
【０００１】
本発明は、薬剤容器に関するものである。
【背景技術】
【０００２】
例えば、点滴治療に用いられる薬剤容器は、溶解液を収納した薬剤調整室と、この薬剤調整室に薬剤供給路を介して連結されると共に、薬剤を収納した薬剤収納室と、前記薬剤調整室に連結された薬剤投与口とを備えた構成となっていた（たとえば下記特許文献１参照）。
【０００３】
前記点滴治療時には、まず、薬剤供給路を開放することで、薬剤調整室に収納した薬剤を、薬剤調整室内の溶解液に溶解させ、その後、薬剤投与口に、チューブを介して点滴針を連結し、この点滴針を患者に差し込むことで、前記薬剤調整室内の薬剤を患者に投与するようになっていた。
【先行技術文献】
【特許文献】
【０００４】
【特許文献１】特開２００４−２９０２１７号公報
【発明の概要】
【発明が解決しようとする課題】
【０００５】
前記薬剤調整室内に収納される溶解液に、薬剤調整室の薬剤を溶解させる場合、医療従事者は、薬剤を溶解液に供給した後に、長時間、薬剤容器を加振する作業が必要で、これが、多忙な医療従事者にとっては、非常に手間のかかるもので、作業性の悪いものとなっていた。
【０００６】
そこで本発明は、作業性を高めることを目的とするものである。
【課題を解決するための手段】
【０００７】
そしてこの目的を達成するために本発明は、溶解液を収納した薬剤調整室と、この薬剤調整室に薬剤供給路を介して連結されると共に、薬剤を収納した薬剤収納室と、前記薬剤調整室に連結された薬剤投与口とを備え、前記薬剤調整室に連結されると共に、その内部に攪拌子が収納された薬剤攪拌部を設け、これにより、所期の目的を達成するものである。
【発明の効果】
【０００８】
以上のように本発明は、溶解液を収納した薬剤調整室と、この薬剤調整室に薬剤供給路を介して連結されると共に、薬剤を収納した薬剤収納室と、前記薬剤調整室に連結された薬剤投与口とを備え、前記薬剤調整室に連結されると共に、その内部に攪拌子が収納された薬剤攪拌部を設けたものであるので、作業性の高いものとなる。
【０００９】
すなわち、本発明においては、薬剤収納室内の薬剤を、薬剤供給路を介して、薬剤調整室内の溶解液に供給した後、薬剤攪拌部に設けた攪拌子を、自動的に回動させるだけで、薬剤を溶解液に溶解させることができ、極めて作業性の高いものとなるのである。
【図面の簡単な説明】
【００１０】
【図１】本発明の実施の形態１に係る薬剤容器を示す斜視図
【図２】本発明の実施の形態１に係る薬剤容器を示す正面図
【図３】本発明の実施の形態１に係る薬剤容器を、攪拌装置を用いて薬剤を溶解液に溶解させる動作を説明する概略図
【図４】図３中の要部拡大正面図
【図５】本発明の実施の形態１に係る薬剤容器を、攪拌装置を用いて、薬剤を溶解液に溶解させる動作を示すフローチャート
【発明を実施するための形態】
【００１１】
以下、本発明の一実施形態を、図面とともに詳細に説明する。
【００１２】
（実施の形態１）
まず、本実施形態における薬剤容器の構成に関して説明する。
【００１３】
図１は、本発明の実施の形態１に係る薬剤容器を示す斜視図を示す。また、図２は、本発明の実施の形態１に係る薬剤容器を示す正面図を示す。
図１、図２に示すように、本実施形態における薬剤容器１は、溶解液２を収納した円筒形状の薬剤調整室３と、この薬剤調整室３に筒状の薬剤供給路４を介して連結されると共に、薬剤５を収納した偏平袋状の薬剤収納室６と、円筒形状の前記薬剤調整室３の一端側に連結された薬剤投与口７とを備えている。
【００１４】
ここで、本実施形態において、薬剤収納室６は、偏平袋状となっており、さらに外部から押すことで自由に変形する可撓性を有するものになっている。また、薬剤調整室３は定形の円筒状となっているが、円筒状で可撓性を有する構成としても良い。
【００１５】
また、本実施形態における薬剤調整室３は、上述のごとく円筒形状となっているが、他端側（薬剤調整室３の薬剤投与口７とは反対側）には、その内部に攪拌子８が収納できる薬剤攪拌部９が連結されている。
【００１６】
ここで、本実施形態において、この薬剤攪拌部９は、透明、かつ円筒状で、薬剤調整室３側が開口するように構成されている。
【００１７】
また、図１、図２に示すように、本実施形態における薬剤容器１は、薬剤調整室３の外周部分に、外周平面部１０が設けられ、その外周平面部１０に薬剤収納室６が設けられている。
【００１８】
すなわち、外周平面部１０は二枚の平面体を張り合わせ、それによって薬剤収納室６を覆うとともに、この二枚の平面体の一部を貼付しない（非接着とする）ことで、上述した筒状の薬剤供給路４を形成し、またこの薬剤供給路４には、薬剤収納室６と薬剤調整室３との分離部１３を形成している。
【００１９】
この外周平面部１０の薬剤投与口７側と、薬剤攪拌部９側に、それぞれ保持部１１、保持部１２が設けられている。なお、本実施形態において、この保持部１１、保持部１２は、外周平面部１０に貫通孔を設けることによって構成している。
【００２０】
また、本実施形態における薬剤容器１の攪拌子８は、棒磁石をテフロン（登録商標）などで封止したものを用い、また、その形状は、細長い円柱状のものを用いた。
【００２１】
以上が、本実施形態における薬剤容器１の構成に関する説明である。
【００２２】
次に、本実施形態における薬剤容器１の使用方法に関して説明する。
本実施形態においては、製薬会社で製造された溶解液２や薬剤５が、製薬会社または薬剤封入工場において、溶解液２は薬剤調整室３に、また薬剤５は薬剤収納室６に、それぞれ封入（外気とは遮断された状態）される。
【００２３】
そして、このように溶解液２と薬剤５が封入された薬剤容器１が、病院に納品される。
納品を受けた病院では、まず、患者に対して点滴を行う直前に、医療従事者（例えば、看護師）によって、分離部１３を破断させ、次に薬剤収納室６内の薬剤５を、薬剤供給路４を介して薬剤調整室３側に供給し、薬剤調整室３内において、溶解液２に薬剤５を溶解させる。つまり、この分離部１３は、外周平面部１０を構成する二枚の平面体よりの十分に薄い膜状となっているので、この部分に外部から力をかければ簡単に分離が出来るようになっているのである。
【００２４】
その後、医療従事者は、溶解液２と薬剤５とが溶解されたものを、患者に対して、点滴として投与するのである。
【００２５】
ここで、本実施形態における薬剤容器１において、薬剤容器１内に収納された溶解液２と薬剤５とを溶解させる作業に関して、その詳細を説明する。
【００２６】
図３は、薬剤容器１を、攪拌装置を用いて薬剤を溶解液に溶解させる動作を説明する概略図を示すものである。また、図４は、図３中の要部拡大正面図を示すものである。
【００２７】
本実施形態においては、上述したように、薬剤収納室６内の薬剤５を、薬剤供給路４を介して薬剤調整室３側に供給した状態で、薬剤容器１を、薬剤攪拌部９を下側にして、図３中に示す攪拌装置１４にセットする。
【００２８】
その後、攪拌装置１４によって、薬剤容器１内の薬剤攪拌部９内部に収納されている攪拌子８を回転させ、溶解液２と薬剤５とを溶解させる。
【００２９】
本実施形態における攪拌装置１４は、図３、図４に示すように、駆動部１５を内蔵し、その駆動部１５上に薬剤容器１の薬剤攪拌部９を置くための凹部１６を有する筐体１７と、筐体１７上部に配置され、薬剤容器１の薬剤攪拌部９の濁度を計測するための濁度計測部１８と、薬剤５と溶解液２とを溶解する動作が完了した場合に、その動作が完了したということを外部（例えば、医療従事者等）に報知する報知部１９と、駆動部１５と濁度計測部１８と報知部１９とが接続され、駆動部１５の動作と、報知部１９の動作を制御する制御部２０とを備えている。
【００３０】
本実施形態における駆動部１５は、モータを用いて、そのモータに接続された磁石を回転させる機構を有するものを用い（図示なし）ている。従って、駆動部１５のモータが回転することによって、薬剤容器１内の攪拌子８も、それに追従するように回動動作をするようになっている。なお、本実施形態における薬剤容器１内の攪拌子８を配置している薬剤攪拌部９は、円筒状になるように形成される（円筒容器で構成される）ことによって、より円滑に、薬剤攪拌部９内にて攪拌子８が回動動作を行うことができる。
【００３１】
また、本実施形態において、薬剤容器１の薬剤攪拌部９は、透明な材質で形成される（透明容器で構成される）ことによって、攪拌装置１４の濁度計測部１８にて、薬剤攪拌部９内部の溶解液２の濁度、すなわち、溶解液２と薬剤５との溶解度合いを計測することができる。
【００３２】
ここで、本実施形態における溶解液２と薬剤５とが収納された薬剤容器１を、攪拌装置１４を用いて、薬剤５を溶解液２に自動的に溶解させる方法に関して説明する。
【００３３】
図５は、本発明の実施の形態１に係る溶解液と薬剤とが収納された薬剤容器を、攪拌装置１４を用いて、薬剤を溶解液に溶解させる動作を示すフローチャートを示すものである。
【００３４】
まず、薬剤容器１の薬剤攪拌部９を、攪拌装置１４の筐体１７の凹部１６内にセットする（図５中のＳ１）。この時、保持部１２に吊り下げ腕２２を貫通させて、上方より保持した状態とする。
【００３５】
次に、攪拌装置１４の制御部２０に、薬剤容器１に収納されている溶解液２、及び薬剤５の種類と量を入力する（図５中のＳ２）。本実施形態においては、予め、収納されている溶解液２と薬剤５の種類、量を含む情報が記録されたバーコードを、攪拌装置１４に搭載させているバーコードリーダ（図示なし）で読み込み、そのバーコードリーダによって読み取られた情報が制御部２０に入力されることによって、溶解液２、及び薬剤５の種類と量を入力した。
【００３６】
次に、入力された溶解液２、及び薬剤５の種類と量に基づいて、攪拌子８の回転させる第１の回転数Ｎ１と、攪拌子８の回転させる第１の回転時間（Ｔ１）を決定すると共に、駆動部１５の回転動作を開始させ、攪拌子８の回転数が第１の回転数（Ｎ１）になるように制御を行う（図５中のＳ３、第１の攪拌動作）。本実施形態においては、予め、溶解液２、及び薬剤５の溶解実験を行い、薬剤５が溶解液２に十分に溶解する溶解するための攪拌子８の回転数と回転数を得ており、その溶解実験で得られた回転数と回転時間を、それぞれ第１の回転数Ｎ１と、第１の回転時間（Ｔ１）として、攪拌装置１４の制御部２０内部のメモリ（図示なし）に、予め保管している。
【００３７】
よって、バーコードリーダによって読み取られた溶解液２、及び薬剤５の種類と量に基づいて、攪拌子８の回転させる第１の回転数Ｎ１と、攪拌子８の回転させる第１の回転時間（Ｔ１）を決定することができる。
【００３８】
次に、第１の攪拌動作が開始してからの時間（Ｔ）を計測し、第１の攪拌動作が開始してからの時間（Ｔ）が、前述の入力された第１の回転時間（Ｔ１）より経過したかどうか（Ｔ＞Ｔ１）を判断する（図５中のＳ４）。もし、Ｔ＞Ｔ１となれば、次のステップに進む。もし、Ｔ＜Ｔ１であれば、図５中のＳ３の第１の攪拌動作を継続する。
【００３９】
なお、本実施形態においては、攪拌装置１４の制御部２０によって、この第１の攪拌動作が開始してからの時間（Ｔ）の計測と判断を行った。
【００４０】
次に（前述のＴ＞Ｔ１となった場合）、攪拌子８の回転数を低下させる（図５中のＳ５）。本実施形態においては、このＳ５になると、前述の第１の回転数Ｎ１の半分（０．５ｘＮ１）とした。また、本実施形態においては、この動作は、攪拌装置１４の制御部２０によって行った。ここで、攪拌子８の回転数を低下させたのは、薬剤攪拌部９内の渦２１（図４参照）を小さくし、この渦２１が、次のステップの濁度の計測に影響を与えないようにするためである。
【００４１】
次に、溶解液２に薬剤５が完全に溶解されているかを確認するため、攪拌装置１４の濁度計測部１８にて、薬剤攪拌部９内部の溶解液２の濁度を計測する（図５中のＳ６）。
次に、薬剤攪拌部９内部の溶解液２の濁度が、所望の濁度以上になっているかどうか判断する（図５中のＳ７）。本実施形態においては、この判断は、攪拌装置１４の制御部２０によって行った。
【００４２】
また、本実施形態においては、予め、溶解液２、及び薬剤５の溶解実験を行い、薬剤５が溶解液２に完全に溶解したときの濁度を計測し、その濁度を攪拌装置１４の制御部２０内部のメモリ（図示なし）に、予め、所望の濁度として保管しており、その保管された所望の濁度と、実際に計測された濁度を比較し、判断するのである。
【００４３】
もし、薬剤攪拌部９内部の溶解液２の濁度が、所望の濁度以上になっている場合は、攪拌子８の回転を停止させ（図５中のＳ８）、その後、攪拌装置１４の報知部１９によって、攪拌装置１４の外部に、溶解液２と薬剤５との溶解が完了したことを知らせる（図５中のＳ９）。本実施形態においては、報知部１９として表示灯を点灯する構成を用いた。
もし、薬剤攪拌部９内部の溶解液２の濁度が、所望の濁度以下の場合は、攪拌子８の回転させる第２の回転数Ｎ２と、攪拌子８の回転させる第２の回転時間（Ｔ２）を決定すると共に、駆動部１５の回転動作を開始させ、攪拌子８の回転数が第２の回転数（Ｎ２）になるように制御を行う（図５中のＳ１０、第２の攪拌動作）。本実施形態においては、第２の回転数Ｎ２は、前述の第１の回転数Ｎ１と同じ回転数を用い、第２の回転時間（Ｔ２）は、５分を用いた。
【００４４】
次に、第２の攪拌動作が開始してからの時間（Ｔａ）を計測し、第２の攪拌動作が開始してからの時間（Ｔａ）が、前述の入力された第２の回転時間（Ｔ２）より経過したかどうか（Ｔａ＞Ｔ２）を判断する（図５中のＳ１１）。もし、Ｔａ＞Ｔ２となれば、図５注のＳ５のステップ（攪拌子８の回転数を低下）へ移行し、その後、薬剤攪拌部９内部の溶解液２の濁度を計測する。もし、Ｔａ＜Ｔ２であれば、図５中のＳ１１の第２の攪拌動作を継続する。すなわち、薬剤攪拌部９内部の溶解液２の濁度は所望の濁度以上になるまで、第２の攪拌動作を継続するのである。
【００４５】
なお、本実施形態では、薬剤５が溶解液２に溶け込むと、全体が濁った状態となるものであったが、薬剤５が溶解液２に溶け込むと透明感が増すものの場合には、濁度計測部１８では、この透明感を測定するようにする。
【００４６】
以上のごとく、本実施形態によれば、薬剤収納室６内の薬剤５を、薬剤供給路４を介して、薬剤調整室３内の溶解液２に供給した後、薬剤攪拌部９に設けた攪拌子８を回動させるだけで、薬剤５を溶解液２に自動的に溶解させることができ、極めて作業性の高いものとなる。
【００４７】
特に、薬剤５が例えば、がんの点滴治療に用いられる薬剤５である場合、非常に毒性が高く、作業時に、医療従事者自身が毒性に犯されてしてしまう虞があるが、本実施形態においては、溶解液２は薬剤調整室３に、また薬剤５は薬剤収納室６に、それぞれ外気とは遮断された状態で収納され、混合時には分離部１３を破断させるだけでよいので、医療従事者自身が薬剤の毒性に犯されてしてしまうことを防止することができる。
【００４８】
そして、薬剤５を溶解液２に自動的に溶解させた後に、薬剤容器１を反転させ、点滴時活用の吊り下げ腕（図示せず）を、保持部１１に貫通させて保持し、次に薬剤投与口７に点滴針（図示せず）を連結させ、その後、患者への点滴を行うようになっている。
【産業上の利用可能性】
【００４９】
以上のように本発明は、溶解液を収納した薬剤調整室と、この薬剤調整室に薬剤供給路を介して連結されると共に、薬剤を収納した薬剤収納室と、前記薬剤調整室に連結された薬剤投与口とを備え、前記薬剤調整室に連結されると共に、その内部に攪拌子が収納された薬剤攪拌部を設けものであるので、作業性の高いものとなる。
【００５０】
すなわち、本発明においては、薬剤収納室内の薬剤を、薬剤供給路を介して、薬剤調整室内の溶解液に供給した後、薬剤攪拌部に設けた攪拌子を、自動的に回動させるだけで、薬剤を溶解液に溶解させることができ、極めて作業性の高いものとなるのである。
従って、薬剤容器、及び薬剤入り薬剤容器として医療分野（点滴治療分野）での活用が期待されるものとなる。
【符号の説明】
【００５１】
１  薬剤容器
２  溶解液
３  薬剤調整室
４  薬剤供給路
５  薬剤
６  薬剤収納室
７  薬剤投与口
８  攪拌子
９  薬剤攪拌部
１０  外周平面部
１１、１２  保持部
１３  分離部
１４  攪拌装置
１５  駆動部
１６  凹部
１７  筐体
１８  濁度計測部
１９  報知部
２０  制御部
２１  渦
２２  吊り下げ腕
【図１】
2015002752.tif 000003
【図２】
2015002752.tif 000004
【図３】
2015002752.tif 000005
【図４】
2015002752.tif 000006
【図５】
2015002752.tif 000007